(57)【特許請求の範囲】
【請求項１】
放射線画像を撮影する放射線撮影システムであって、
前記撮影の対象となる患者の患者情報と、該患者に対して実施する撮影の内容を規定した撮影情報とを含む検査情報を取得する取得手段と、
前記取得手段により取得された検査情報に従って、放射線を用いた患者に対する撮影を制御する撮影制御手段と、
前記撮影された放射線画像と該画像の患者情報とを関連付けて格納する格納手段と、
前記検査情報に従った撮影に用いられる撮影画面と、前記格納手段に格納された放射線画像の再生に用いられる再生画面とを表示させ、かつ、該撮影画面と該再生画面とを１つのウィンドウ内で切り替えて表示するために該撮影画面と該再生画面とのそれぞれに関連付けられたタブを前記ウィンドウ内に表示させる表示制御手段と、
オペレータの入力操作に基づいて、新たなタブと該新たなタブに関連付けられた新たな撮影画面または再生画面のいずれかを生成させる指示を前記表示制御手段により表示される画面の表示の切り替え指示として検出する指示検出手段と、
前記切り替え指示に基づく表示の切り替えに際して、前記指示に係る新たな撮影画面または再生画面のいずれかに対応する患者情報と、前記表示制御手段により表示されたタブに関連付けられた撮影画面または再生画面に対応する患者情報とを比較する比較手段と、
前記比較手段による比較の結果、前記指示に係る新たな撮影画面または再生画面のいずれかに対応する患者情報と同一の患者情報に対応する画面があった場合に、該画面があったことをオペレータに通知する通知手段と
を具備することを特徴とする放射線撮影システム。
【請求項２】
放射線画像を撮影する放射線撮影システムであって、
前記撮影の対象となる患者の患者情報と、該患者に対して実施する撮影の内容を規定した撮影情報とを含む検査情報を取得する取得手段と、
前記取得手段により取得された検査情報に従って、放射線を用いた患者に対する撮影を制御する撮影制御手段と、
前記撮影された放射線画像と該画像の患者情報とを関連付けて格納する格納手段と、
前記検査情報に従った撮影に用いられる撮影画面と、前記格納手段に格納された放射線画像の再生に用いられる再生画面とを１つのウィンドウ内で切り替えて表示する表示手段と、
オペレータの入力操作に基づいて、前記表示手段に表示される画面の表示の切替指示を検出する指示検出手段と、
前記切替指示に基づく表示の切り替えに際して、前記撮影画面に対応する患者情報と前記再生画面に対応する患者情報とを比較する比較手段と、
前記比較手段の比較結果をオペレータに通知する通知手段と、を具備し、
前記表示手段は、
前記撮影画面及び前記再生画面に関連付けられたタブを前記ウィンドウ内に表示し、
前記比較手段は、
前記オペレータの入力操作により指示されたタブに関連付けられた画面への表示の切り替えに際して、該指示された画面に対応する患者情報と、それ以外の画面に対応する患者情報とを比較し、
前記通知手段は、
前記比較手段による比較の結果、前記指示された画面に対応する患者情報と同一の患者情報を有する画面があれば、その旨を通知する
ことを特徴とする放射線撮影システム。
【請求項３】
前記通知手段は、
同一の患者情報を有する画面に関連付けられたタブの表示形態を変化させることにより前記通知を行なう
ことを特徴とする請求項１または２に記載の放射線撮影システム。
【請求項４】
前記通知手段は、
前記患者情報の表示形態を変化させることにより前記通知を行なう
ことを特徴とする請求項１乃至３のいずれか１項に記載の放射線撮影システム。
【請求項５】
前記通知手段は、
アラームを鳴動することにより前記通知を行なう
ことを特徴とする請求項１乃至４のいずれか１項に記載の放射線撮影システム。
【請求項６】
前記通知手段は、
所定時間の間、前記通知を行なう
ことを特徴とする請求項１乃至５のいずれか１項に記載の放射線撮影システム。
【請求項７】
放射線画像を撮影する放射線撮影システムにおける処理方法であって、
取得手段が、前記撮影の対象となる患者の患者情報と、該患者に対して実施する撮影の内容を規定した撮影情報とを含む検査情報を取得する工程と、
撮影制御手段が、前記取得手段により取得された検査情報に従って、放射線を用いた患者に対する撮影を制御する工程と、
格納手段が、前記撮影された放射線画像と該画像の患者情報とを関連付けて格納する工程と、
表示制御手段が、前記検査情報に従った撮影に用いられる撮影画面と、前記格納手段に格納された放射線画像の再生に用いられる再生画面とを表示させ、かつ、該撮影画面と該再生画面とを１つのウィンドウ内で切り替えて表示するために該撮影画面と該再生画面とのそれぞれに関連付けられたタブを前記ウィンドウ内に表示させる工程と、
指示検出手段が、オペレータの入力操作に基づいて、新たなタブと該新たなタブに関連付けられた新たな撮影画面または再生画面のいずれかを生成させる指示を前記表示制御手段により表示される画面の表示の切り替え指示として検出する工程と、
比較手段が、前記切り替え指示に基づく表示の切り替えに際して、前記指示に係る新たな撮影画面または再生画面のいずれかに対応する患者情報と、前記表示制御手段により表示されたタブに関連付けられた撮影画面または再生画面に対応する患者情報とを比較する工程と、
通知手段が、前記比較する工程における比較の結果、前記指示に係る新たな撮影画面または再生画面のいずれかに対応する患者情報と同一の患者情報に対応する画面があった場合に、該画面があったことをオペレータに通知する工程と
を含むことを特徴とする処理方法。
【請求項８】
放射線画像を撮影する放射線撮影システムにおける処理方法であって、
取得手段が、前記撮影の対象となる患者の患者情報と、該患者に対して実施する撮影の内容を規定した撮影情報とを含む検査情報を取得する工程と、
撮影制御手段が、前記取得手段により取得された検査情報に従って、放射線を用いた患者に対する撮影を制御する工程と、
格納手段が、前記撮影された放射線画像と該画像の患者情報とを関連付けて格納する工程と、
表示手段が、前記検査情報に従った撮影に用いられる撮影画面と、前記格納手段に格納された放射線画像の再生に用いられる再生画面とを１つのウィンドウ内で切り替えて表示する工程と、
指示検出手段が、オペレータの入力操作に基づいて、前記表示手段に表示される画面の表示の切替指示を検出する工程と、
比較手段が、前記切替指示に基づく表示の切り替えに際して、前記撮影画面に対応する患者情報と前記再生画面に対応する患者情報とを比較する工程と、
通知手段が、前記比較手段の比較結果をオペレータに通知する工程と、を有し、
前記表示する工程では、前記撮影画面及び前記再生画面に関連付けられたタブを前記ウィンドウ内に表示し、
前記比較する工程では、前記オペレータの入力操作により指示されたタブに関連付けられた画面への表示の切り替えに際して、該指示された画面に対応する患者情報と、それ以外の画面に対応する患者情報とを比較し、
前記通知する工程では、前記比較手段による比較の結果、前記指示された画面に対応する患者情報と同一の患者情報を有する画面があれば、その旨を通知することを特徴とする処理方法。
【請求項９】
操作部からの操作指示を受け付ける放射線撮影のための制御装置であって、
前記撮影の対象となる患者の患者情報と該患者に対して実施する撮影の内容を規定した撮影情報とを含む検査情報を取得する情報取得手段と、
前記検査情報に基づく放射線撮影を制御する制御手段と、
前記取得手段により取得された検査情報に基づき撮影された放射線画像と該放射線画像の患者情報とを関連付けて記憶部に格納する格納手段と、
前記検査情報が表示され該検査情報に基づく放射線撮影を実行するための撮影画面と、前記記憶部に格納された放射線画像の再生に用いられる再生画面とを表示部に表示させる表示制御手段と、
前記撮影画面または前記再生画面の少なくともいずれか１つの第一の画面が表示された状態で、該第一の画面とは異なる前記撮影画面または前記再生画面の少なくともいずれか１つの第二の画面の表示の指示を検出する検出手段と、
前記第一の画面に対応する患者情報と前記第二の画面に対応する患者情報との比較結果を通知する通知手段と、を有し、
前記通知手段は、前記患者情報と同一の患者情報を表示させる画面がある場合に、該画面に関連付けられたタブの表示形態を変化させること、該画面の前記患者情報の表示形態を変化させること、アラームを鳴動することの少なくともいずれかによって前記通知を行うことを特徴とする制御装置。
【請求項１０】
前記第一の画面に対応する患者情報と前記第二の画面に対応する患者情報とを比較する比較手段と、
を有することを特徴とする請求項９に記載の制御装置。
【請求項１１】
操作部からの操作指示を受け付ける放射線撮影装置の処理方法であって、
情報取得手段が、前記撮影の対象となる患者の患者情報と該患者に対して実施する撮影の内容を規定した撮影情報とを含む検査情報を取得する情報取得工程と、
制御手段が、前記検査情報に基づく放射線撮影を制御する制御工程と、
格納手段が、前記取得工程で取得された検査情報に基づき撮影された放射線画像と該放射線画像の患者情報とを関連付けて記憶部に格納する格納工程と、
表示制御手段が、前記検査情報が表示され該検査情報に基づく放射線撮影を実行するための撮影画面と、前記記憶部に格納された放射線画像の再生に用いられる再生画面とを表示部に表示させる表示制御工程と、
検出手段が、前記撮影画面または前記再生画面の少なくともいずれか１つの第一の画面が表示された状態で、該第一の画面とは異なる前記撮影画面または前記再生画面の少なくともいずれか１つの第二の画面の表示の指示を検出する検出工程と、
通知手段が、前記第一の画面に対応する患者情報と前記第二の画面に対応する患者情報との比較結果を通知する通知工程と、を有し、
前記通知工程では、前記患者情報と同一の患者情報を表示させる画面がある場合に、該画面に関連付けられたタブの表示形態を変化させること、該画面の前記患者情報の表示形態を変化させること、アラームを鳴動することの少なくともいずれかによって前記通知を行うことを特徴とする処理方法。
【請求項１２】
請求項７、８、１１のいずれか１項に記載された処理方法の各工程をコンピュータに実行させるためのプログラム。
【発明の詳細な説明】
【技術分野】
【０００１】
本発明は、放射線撮影装置及びその処理方法に関する。
【背景技術】
【０００２】
従来、対象物に放射線（例えば、Ｘ線）を照射し、当該対象物を透過した放射線の強度分布を検出して対象物の放射線画像を撮影する放射線撮影装置が知られている。このような装置は、医療分野・産業分野等で主に利用されている。近年では、被写体を透過した放射線を電気信号に変換し、放射線画像をデジタルデータとして取得する技術も広く採用されている。
【０００３】
例えば、医療分野においては、放射線を用いた検査が日常的に行なわれている。放射線を用いた検査（放射線検査）に際しては、一般に、各診療科の医師によって撮影部位や撮影方法が記載された検査依頼書が作成される。そして、撮影技師は、当該検査依頼書に従って放射線検査を実施する。また、各種医療装置が接続された院内ネットワークが構築されている病院もある。このようなネットワーク環境が構築されている場合、放射線撮影システムは、病院情報システム（ＨＩＳ）、放射線情報システム（ＲＩＳ）、画像サーバ（ＰＡＣＳ）等と連携して撮影を行なう。
【０００４】
院内ネットワークが構築された病院においては、検査依頼書を発行する代わりに、ＨＩＳから検査依頼を発行する。この場合、放射線科では、ＲＩＳにおいて、検査依頼を受け取り、放射線撮影システムにおいて、当該検査依頼に応じた放射線検査を実施する。
【０００５】
放射線検査が終了すると、放射線撮影システムは、ＨＩＳやＲＩＳに対して検査が終了した旨を通知するとともに、撮影画像及び検査情報をＰＡＣＳやプリンタ等に出力する。また、撮影画像及び検査情報を表示器に表示する場合もある。
【０００６】
これに関連して、特許文献１では、タブを用いて、検査実施時の撮影画面と、実施済検査の撮影画像を表示する再生画面とを切り替えられるようにした画面制御技術が提案されている。この技術によれば、撮影画面と再生画面とを１操作で切り替えることができるため、実施中の検査の画像と実施済検査の画像との比較や参照を容易に行なえる。
【先行技術文献】
【特許文献】
【０００７】
【特許文献１】特開２００６−８１７６１号公報
【発明の概要】
【発明が解決しようとする課題】
【０００８】
実施済検査の画像は、一般に、同一患者の治療の経過を観察することを目的として、実施中の検査画像と比較される。また、医師の診断に適した画像を得ることを目的として画像処理を実施する際に、過去に撮影した同一部位の画像パラメータを参照するために用いられる場合もある。そのため、特許文献１の技術は、利便性が高く有用な技術であるといえる。しかし、容易に比較、参照を行えるメリットがある一方で、患者を取り違えてしまうリスクも高まっているといえる。
【０００９】
本発明は、上記課題に鑑みてなされたものであり、表示の切り替えに際して、オペレータに対して効果的に患者の確認を促すようにした技術を提供する。
【課題を解決するための手段】
【００１０】
上記課題を解決するため、本発明の一態様は、放射線画像を撮影する放射線撮影システムであって、前記撮影の対象となる患者の患者情報と、該患者に対して実施する撮影の内容を規定した撮影情報とを含む検査情報を取得する取得手段と、前記取得手段により取得された検査情報に従って、放射線を用いた患者に対する撮影を制御する撮影制御手段と、前記撮影された放射線画像と該画像の患者情報とを関連付けて格納する格納手段と、前記検査情報に従った撮影に用いられる撮影画面と、前記格納手段に格納された放射線画像の再生に用いられる再生画面とを表示させ、かつ、該撮影画面と該再生画面とを１つのウィンドウ内で切り替えて表示するために該撮影画面と該再生画面とのそれぞれに関連付けられたタブを前記ウィンドウ内に表示させる表示制御手段と、オペレータの入力操作に基づいて、新たなタブと該新たなタブに関連付けられた新たな撮影画面または再生画面のいずれかを生成させる指示を前記表示制御手段により表示される画面の表示の切り替え指示として検出する指示検出手段と、前記切り替え指示に基づく表示の切り替えに際して、前記指示に係る新たな撮影画面または再生画面のいずれかに対応する患者情報と、前記表示制御手段により表示されたタブに関連付けられた撮影画面または再生画面に対応する患者情報とを比較する比較手段と、前記比較手段による比較の結果、前記指示に係る新たな撮影画面または再生画面のいずれかに対応する患者情報と同一の患者情報に対応する画面があった場合に、該画面があったことをオペレータに通知する通知手段とを具備することを特徴とする。
【発明の効果】
【００１１】
本発明によれば、表示の切り替えに際して、オペレータに対して効果的に患者の確認を促すことができる。これにより、例えば、オペレータによる患者の取り違えを抑制させられる。
【図面の簡単な説明】
【００１２】
【図１】本発明の一実施の形態に係わる放射線撮影システム（Ｘ線撮影システム）の構成の一例を示す図。
【図２】画面レイアウトの一例を示す図。
【図３】画面レイアウトの一例を示す図。
【図４】画面レイアウトの一例を示す図。
【図５】画面レイアウトの一例を示す図。
【図６】図１に示す制御部１３における機能的な構成の一例を示す図。
【図７】図１に示す放射線撮影システムにおける動作の一例を示すフローチャート。
【図８】画面レイアウトの一例を示す図。
【図９】画面レイアウトの一例を示す図。
【図１０】画面レイアウトの一例を示す図。
【発明を実施するための形態】
【００１３】
以下、本発明の一実施の形態について添付図面を参照して詳細に説明する。なお、以下に示す実施形態においては、放射線としてＸ線を適用した場合を例に挙げて説明するが、放射線は、Ｘ線に限られず、例えば、電磁波やα線、β線、γ線などであってもよい。
【００１４】
（実施形態１）
図１は、本発明の一実施の形態に係わる放射線撮影システム（以下、Ｘ線撮影システムと呼ぶ）の構成の一例を示す図である。
【００１５】
Ｘ線撮影システムでは、Ｘ線撮影装置１０と、ＲＩＳ（放射線部門内情報システム）７と、ＰＡＣＳ（画像サーバ）８と、ＨＩＳ（院内情報システム）９とが接続されている。これら各装置間は、例えば、ＬＡＮ（Local Area Network）やＷＡＮ（Wide Area Network）等で構成される通信手段５を介して接続される。なお、これら各装置には、１又は複数のコンピュータが含まれる。コンピュータには、例えば、ＣＰＵ等の主制御手段、ＲＯＭ（Read Only Memory）、ＲＡＭ（Random Access Memory）等の記憶手段が具備される。また、コンピュータには、ネットワークカード等の通信手段、キーボード、ディスプレイ又はタッチパネル等の入出力手段等、が具備されていてもよい。これら各構成手段は、バス等により接続され、主制御手段が記憶手段に記憶されたプログラムを実行することで制御される。
【００１６】
ここで、Ｘ線撮影装置１０は、表示部１１と、操作部１２と、制御部１３と、Ｘ線発生制御部１４とを具備して構成される。
【００１７】
Ｘ線発生制御部１４は、ケーブル１を介してＸ線発生部４に接続されており、当該Ｘ線発生部４からのＸ線の照射を制御する。ここで、Ｘ線発生部４（４ａ、４ｂ）は、放射線発生部として機能する。Ｘ線発生部４は、例えば、Ｘ線管球により実現され、被写体（例えば、患者の特定部位）に向けてＸ線を照射する。
【００１８】
制御部１３は、Ｘ線撮影装置１０における処理を統括制御する。表示部１１は、例えば、液晶ディスプレイ等で実現され、各種情報をオペレータ（撮影技師、医師）に向けて表示する。操作部１２は、例えば、マウスや操作ボタン等で実現され、オペレータからの各種指示を装置内に入力する。なお、表示部１１及び操作部１２は、それらが一体となったタッチパネルで実現されてもよい。
【００１９】
Ｘ線撮影装置１０は、ケーブル６を介してＸ線検出部３（３ａ、３ｂ）に接続されており、当該ケーブル６により両者の間では、電源、画像信号や制御信号等が授受される。Ｘ線検出部３は、被写体を透過したＸ線を検出し、当該被写体に基づくＸ線画像（放射線画像）を取得する検出器として機能する。すなわち、Ｘ線発生部４及びＸ線検出部３が連携して動作することによりＸ線撮影部が実現される。なお、Ｘ線検出部３は、立位及び臥位の撮影台２（２ａ、２ｂ）に設置されている。
【００２０】
以上がＸ線撮影システムの構成の一例についての説明である。なお、図１に示す構成は、あくまで一例であり、適宜変更できる。例えば、図１では、Ｘ線撮影装置１０に対して通信手段５を介して各種装置が接続されているが、必ずしもＸ線撮影装置１０は、このような装置と接続される必要はない。
【００２１】
ここで、図１に示すＸ線撮影システムにおいて、検査の流れに沿ってＸ線画像を撮影する際の処理の流れについて説明する。
【００２２】
まず、ＲＩＳ７からの検査依頼によりＸ線撮影装置１０に対して検査情報が入力される。検査情報は、患者名、患者ＩＤなどを含む患者情報と、患者に対して実施する撮影の内容を規定した撮影情報とを含む。
【００２３】
検査情報の入力に伴って、Ｘ線撮影装置１０は、表示部１１において、図２に示す新規検査入力画面を表示する。新規検査入力画面は、図２に示すように、依頼検査リスト２０３と、患者情報表示領域２０４と、撮影情報表示領域２０５と、検査開始ボタン２０７とを含んで構成される。
【００２４】
ここで、オペレータ（撮影技師）は、マウス等（操作部１２）を用いて、依頼検査リスト２０３の中からいずれかの検査を選択する。すると、患者情報表示領域２０４には、当該選択された患者に対応する患者情報（患者ＩＤ、患者名、生年月日等）が表示される。また、撮影情報表示領域２０５には、検査ＩＤが表示され、その直ぐ下の領域には、当該検査ＩＤに対応する撮影情報が表示される。撮影情報は、上述した通り、ＲＩＳ７から受信する。図２の場合、撮影情報に対応した撮影方法ボタン（胸部正面ボタン２０６ａ、胸部側面ボタン２０６ｂ）２０６が配されている。オペレータは、患者情報及び撮影情報を確認した後、検査開始ボタン２０７を押下する。これにより、実施する検査が確定する。
【００２５】
検査開始ボタン２０７の押下に伴って、Ｘ線撮影装置１０は、表示部１１において、図３（ａ）に示す撮影画面を表示する。撮影画面は、撮影時に用いられる画面である。なお、既に実施中の検査があれば、当該実施中の検査に対応した撮影画面が閉じられ、別の撮影画面が表示される。
【００２６】
撮影画面は、基本的には、図２で説明した新規検査入力画面と同様の表示領域を有して構成される。新たに追加される表示領域としては、図３（ａ）に示すように、画像表示領域２０９と、患者情報表示領域２０４と、撮影情報表示領域２０５と、メッセージ領域２１１と、画像処理設定領域２１２とが挙げられる。
【００２７】
撮影画面が表示されると、撮影情報表示領域２０５内で最も上部に配された撮影方法ボタン２０６ａがデフォルトで選択状態になっている。これに伴って、Ｘ線撮影装置１０は、制御部１３において、当該撮影方法ボタン（撮影方法）に対応して設定された撮影条件（管電圧、管電流、照射時間等）をＸ線発生制御部１４に向けて送信する。すると、Ｘ線発生制御部１４は、当該撮影条件に従ってＸ線検出部３を制御して撮影の準備を整える。
【００２８】
準備が整うと、Ｘ線撮影装置１０は、撮影可能状態へ遷移する。このとき、メッセージ領域２１１には、撮影可能状態であることを示す「Ｒｅａｄｙメッセージ」が表示される。
【００２９】
続いて、オペレータは、撮影方法を確認し、撮影のセッティング及び患者のポジショニングを行なう。一連の撮影準備が完了すると、オペレータは、メッセージ領域２１１を参照して撮影可能状態であることを確認した後、Ｘ線照射スイッチ（不図示）を押下する。すると、Ｘ線撮影装置１０は、Ｘ線発生部４において、被写体（患者の特定部位）に向けてＸ線を照射させ、Ｘ線検出部３において、当該被写体を透過したＸ線を検出させる。これにより、Ｘ線画像の撮影が行なわれる。
【００３０】
撮影が済むと、Ｘ線撮影装置１０は、制御部１３において、Ｘ線検出部３から撮影画像を取得するとともに、当該取得した撮影画像に対して所定の画像処理条件に基づいて画像処理を実施する。所定の画像処理条件は、撮影方法に対応して予め規定されている。
【００３１】
画像処理が終了すると、Ｘ線撮影装置１０は、図３（ｂ）に示すように、当該画像処理された撮影画像を撮影画像表示領域３０３に表示する。オペレータは、例えば、当該撮影画像のコントラスト等を変更したい場合、画像処理設定領域２１２に設けられたコントラストやブライトネス等のボタンを操作する。これにより、オペレータは、当該撮影画像表示領域３０３に表示された撮影画像に対して追加の画像処理を実施できる。なお、オペレータが、未撮影の撮影方法ボタン２０６を押下した場合には、次の撮影が始まる。
【００３２】
オペレータは、上述した手順を繰り返して撮影情報表示領域２０５内の全撮影方法の撮影を実施する。全ての撮影が終了すると、オペレータは、検査終了ボタン２１０を押下する。これにより、一連の検査が終了し、Ｘ線撮影装置１０は、再度、新規検査入力画面を表示する。このとき、Ｘ線撮影装置１０は、制御部１３において、撮影画像や検査情報等を、例えば、ＰＡＣＳ８、プリンタ（不図示）、ＲＩＳ７、自装置におけるＲＯＭ等に出力する。なお、ＲＩＳ７やＲＯＭ等においては、当該撮影画像と患者情報とを関連付けて格納する。
【００３３】
次に、図１に示すＸ線撮影システムにおいて、検査結果を確認する際の動作の流れについて説明する。
【００３４】
オペレータ（医師）が、所定の操作を行なうと、Ｘ線撮影装置１０は、表示部１１において、図４に示す実施済検査選択画面を表示する。実施済検査選択画面は、図４に示すように、実施済検査リスト２１３と、患者情報表示領域２１４と、撮影情報表示領域２１５と、再生開始ボタン２１７とを含んで構成される。
【００３５】
実施済検査リスト２１３には、実施済みの検査の一覧が表示される。図２で説明した新規検査入力画面同様の操作により、オペレータは、実施済検査リスト２１３の中から再生対象となる検査を選択する。すると、患者情報表示領域２１４には、当該選択された検査に対応する患者情報が表示される。また、撮影情報表示領域２１５には、当該検査時の撮影方法に対応した撮影方法ボタン２１６が配される。オペレータは、患者情報及び撮影情報を確認した後、再生開始ボタン２１７を押する。これにより、再生する検査が確定する。
【００３６】
再生開始ボタン２１７の押下に伴って、Ｘ線撮影装置１０は、表示部１１において、図５に示す再生画面を表示する。再生画面は、既に撮影された放射線画像の再生時に用いられる画面である。なお、既に表示中の再生画面があれば、当該表示中の再生画面が閉じられ、別の再生画面が表示される。
【００３７】
再生画面は、基本的には、図４で説明した実施済検査選択画面と同様の表示領域を有して構成される。新たに追加される表示領域としては、図５に示すように、画像表示領域２１９と、画像処理設定領域２１２とが挙げられる。
【００３８】
撮影画面が表示されると、撮影情報表示領域２１５内で最も上部に配された撮影方法ボタン２０６ａがデフォルトで選択状態になっている。これに伴って、Ｘ線撮影装置１０は、制御部１３において、当該撮影方法ボタン（撮影方法）に対応して撮影された撮影画像を格納手段（例えば、自装置におけるＲＯＭ、ＰＡＣＳ）から取得する。これにより、画面表示領域１９には、当該撮影画像が表示される。なお、オペレータが、再生終了ボタン２２１を押下すると、再生が終了し、実施済検査選択画面が表示される。
【００３９】
ここで、図５に示す再生画面を始め、これまでに説明した画面には全てタブインターフェース（以下、単にタブと呼ぶ）が設けられている。例えば、図５に示す再生画面の場合、新規検査タブ２０１、実施済検査タブ２０２、再生検査タブ２１８が設けられている。オペレータは、マウス等（操作部１２）を用いて、当該タブを操作することで、新規検査入力画面（図２参照）や実施済検査選択画面（図４参照）を瞬時に切り替えて表示することができる。
【００４０】
次に、図６を用いて、図１に示す制御部１３における機能的な構成の一例について説明する。
【００４１】
制御部１３は、画面表示を制御する構成として、取得部２１と、指示検出部２２と、比較部２３と、表示制御部２４と、撮影制御部２６とを具備して構成される。
【００４２】
取得部２１は、検査情報や画面表示に必要となる情報を取得する。例えば、自装置におけるＲＯＭや、ＰＡＣＳ８等から撮影画像や当該画像に関連付けられた患者情報を取得する。なお、撮影画像は、当該画像の患者情報と関連付けてＲＯＭやＰＡＣＳ８等に格納されている。また、取得部２１は、ＲＩＳ７からの検査依頼に基づく検査情報を、例えば、ＲＯＭ等から取得する。
【００４３】
撮影制御部２６は、取得部２１により取得された検査情報に従って、Ｘ線撮影部（Ｘ線発生部４、Ｘ線検出部３）を制御する。これにより、検査情報に従ったＸ線画像の撮影が行なわれる。
【００４４】
指示検出部２２は、オペレータによる入力操作に基づいて、表示中の画面に対する表示の切替の指示を検出する。具体的には、撮影画面又は再生画面が表示されている時に、オペレータが、マウス等を用いて、タブを操作した場合、指示検出部２２は、当該操作を検出し、表示の切替が指示された旨を表示制御部２４及び比較部２３に通知する。
【００４５】
比較部２３は、画面表示の切替（画面の遷移処理）に際して、表示中の画面に関連する情報と、切替先の画面に関連する情報とを比較する。なお、本実施形態においては、画面に関連する情報は、患者情報である。
【００４６】
表示制御部２４は、取得部２１により取得された検査情報や撮影画像等に基づいて表示画面を生成する。そして、当該生成した画面を、１つのウィンドウ内でタブを用いて表示部１１に表示する。表示制御部２４では、指示検出部２２により表示切替の指示が検出されると、それに応じて表示部１１における画面の表示を切り替える。
【００４７】
表示制御部２４には、比較部２３の比較結果に基づいてオペレータに注意を喚起する通知（表示）を行なう通知部２５が具備される。例えば、患者Ａに対して実施済みの検査に関する再生画面が表示されている場合に、患者Ｂに対する新たな検査を開始するために撮影画面への切替指示がオペレータにより入力されたとする。すなわち、両者の画面に関連付けられた患者情報が異なる場合である。この場合、比較部２３においては、撮影画面への表示の切替時に、患者情報が異なる旨の比較結果を出力し、表示制御部２４（通知部２５）においては、その比較結果に基づいてオペレータに注意を喚起する通知を行なう。
【００４８】
ここで、図７を用いて、図１に示すＸ線撮影システムにおいて、注意喚起を通知する際の処理の流れについて説明する。ここでは、オペレータが、再生画面において、実施済検査を再生した後、新規検査タブ２０１を用いて新規検査入力画面の表示を指示したとする。そして、オペレータが、当該画面において、実施対象となる検査を選択し、検査を開始した後の処理について説明する。
【００４９】
検査の開始に伴って、Ｘ線撮影装置１０は、指示検出部２２において、表示中の画面に対する表示の切替の指示を検出する（Ｓ１０１でＹＥＳ）。すると、Ｘ線撮影装置１０は、比較部２３において、再生画面で再生中の検査の患者情報と、開始された検査（撮影画面）の患者情報とを比較する（Ｓ１０２）。
【００５０】
ここで、患者情報（患者ＩＤ、患者名、性別、生年月日等）が同一であれば（Ｓ１０３でＹＥＳ）、Ｘ線撮影装置１０は、表示制御部２４において、そのまま撮影画面へ表示を切り替える（Ｓ１０４）。
【００５１】
一方、患者情報が異なれば（Ｓ１０３でＮＯ）、Ｘ線撮影装置１０は、通知部２５において、再生中の検査と異なる患者の検査を開始したことを通知した後（Ｓ１０５）、表示制御部２４において、撮影画面へ表示を切り替える（Ｓ１０６）。
【００５２】
ここで、図７に示すＳ１０５における通知方法について具体例を挙げて説明する。
【００５３】
一般的な、診断等においては、患者に対して実施済みの検査結果を再生している間に、それとは別の患者の検査を新たに開始する場合がある。例えば、体格の似た異なる患者の同一部位の画像を参照し、画像処理パラメータを流用する場合等が挙げられる。そのため、再生画面で再生中の患者と異なる患者の検査を開始したことに対する注意喚起の通知は、必要ない場合もある。
【００５４】
そこで、実施形態１においては、例えば、図８に示すように、通知状態を解除する操作をオペレータに要求する通知方式（例えば、モーダルダイアログの利用）でなく、患者情報表示領域２０４の背景色を所定時間だけ変化させる等して通知を行なう。すなわち、表示形態を変化させて通知を行なう。
【００５５】
なお、ここでは説明を省略するが、検査の実施中に別の患者の実施済みの検査結果の再生を行なう場合についても上記同様の通知を行なうようにしてもよい。すなわち、再生画面への遷移時に患者情報を比較し、患者が異なれば通知を行なうようにしてもよい。
【００５６】
以上説明したように実施形態１によれば、表示の切り替えに際して、オペレータに対して効果的に患者の確認を促すことができる。例えば、オペレータの操作ミスにより再生中の患者と異なる患者の検査が開始された場合、その表示の切り替えに際して、所定時間の間、注意喚起を促す通知が行なわれる。これにより、オペレータによる患者の取り違えを抑制させられる。
【００５７】
（実施形態２）
次に、実施形態２について説明する。実施形態１においては、図２に示す新規検査入力画面において、検査開始ボタン２０７が押下された時に、既に実施中の検査があれば、当該実施中の検査に対応した撮影画面が閉じられる場合について説明した。これに対して、実施形態２においては、検査開始ボタン２０７が押下された時に、既に実施中の検査があれば、その検査を保留せずに、撮影画面を新たに生成して表示する場合について説明する。なお、再生画面についても同様である。
【００５８】
図９は、実施形態２に係わる実施済検査選択画面の一例を示す図である。ここでは、撮影画面と再生画面とが既にタブに関連付けられている場合に、前記オペレータにより新たなタブを用いた新たな撮影画面の表示が指示された場合について説明する。
【００５９】
ここで、オペレータが、実施済検査リスト２１３の中から再生中の再生画面（既にタブに関連付けられている再生画面）における患者と同一患者の検査を選択し、再生開始ボタン２１７を押下したとする。すると、Ｘ線撮影装置１０は、表示制御部２４において、再生画面を新たに生成し、当該再生画面を新たなタブに関連付けて表示する。このとき、Ｘ線撮影装置１０は、比較部２３において、実施中及び再生中の全検査の患者情報と、新たに再生する再生画面の患者情報とを比較する。
【００６０】
比較の結果、同一患者を扱っている画面があれば、図１０（ａ）に示すように、該当する画面に関連付けられたタブ（この場合、タブ２０８、タブ２２２）の表示形態を変化させ、オペレータに同一患者を扱っている検査がある旨を通知する。これに対して、同一患者を扱った画面がなければ、図１０（ｂ）に示すように、通知を行なわず、新たなタブを生成し、当該タブにそのまま再生画面を表示する。
【００６１】
なお、実施形態２においては、撮影画面及び再生画面が関連付けられたタブが表示されている場合に、別の撮影画面を新たに表示する場合を例に挙げて説明したが、別の再生画面を新たに表示する場合も同様の処理を行なえることは言うまでもない。
【００６２】
また、撮影画面及び再生画面のいずれかが関連付けられたタブが複数表示されている場合に、オペレータによりいずれかのタブが指示されたときにも、同様の処理を行なうようにしてもよい。例えば、撮影画面が一つ、再生画面が２つタブに関連付けられている場合に、オペレータによりいずれかのタブが指示された時には、当該指示されたタブに関連付けられた画面の患者情報とそれ以外の画面の患者情報とを比較しその結果を通知するようにしてもよい。また更に、図１０（ａ）及び図１０（ｂ）においては、検査単位でタブが設けられているが、患者単位でタブが設けられていてもよい。
【００６３】
以上説明したように実施形態２によれば、実施形態１同様の効果が得られるとともに、複数の検査を並行して実施できる。
【００６４】
以上が本発明の代表的な実施形態の例であるが、本発明は、上記及び図面に示す実施形態に限定することなく、その要旨を変更しない範囲内で適宜変形して実施できるものである。
【００６５】
例えば、上述した実施形態１及び２においては、画面表示形態を変更して通知を行なう場合を例に挙げて説明したが、これに限られず、例えば、アラーム等を鳴動させることによりオペレータに注意を喚起するようにしてもよい。
【００６６】
また、本発明は、例えば、システム、装置、方法、プログラム若しくは記憶媒体等としての実施態様を採ることもできる。具体的には、複数の機器から構成されるシステムに適用してもよいし、また、一つの機器からなる装置に適用してもよい。
【図１】
0005620692.tif 000002
【図２】
0005620692.tif 000003
【図３】
0005620692.tif 000004
【図４】
0005620692.tif 000005
【図５】
0005620692.tif 000006
【図６】
0005620692.tif 000007
【図７】
0005620692.tif 000008
【図８】
0005620692.tif 000009
【図９】
0005620692.tif 000010
【図１０】
0005620692.tif 000011